(57)【要約】【課題】アナログテレビ用リモコンを用いて所望のデジタル放送を視聴可能としつつ、ユーザの利便性を高めることができるようにする。【解決手段】デジタル放送受信装置２０は、外部入力端子とテレビ側リモコン受信部とを有するアナログテレビ３０と共に使用されるものであって、デジタル放送波をアナログ映像・音声信号に変換して該アナログ映像・音声信号を外部入力端子に出力するチューナ本体２００と、アナログテレビ３０に取り付け可能であり、アナログテレビ用リモコン４０から送信されるリモコン信号を遮るように構成された遮断ユニット２５０と、を備え、遮断ユニット２５０は、アナログテレビ用リモコン４０からのリモコン信号を受信して該リモコン信号に対応する受信リモコン信号をチューナ本体２００に出力し、チューナ本体２００は、該受信リモコン信号に応じて、デジタル放送波に対する選局を行う。【選択図】図１
2012109793.tif 000002
【特許請求の範囲】
【請求項１】
外部入力端子とテレビ側リモコン受信部とを有するアナログテレビと共に使用されるデジタル放送受信装置であって、
アンテナからのデジタル放送波が入力され、該デジタル放送波をアナログ映像・音声信号に変換して該アナログ映像・音声信号を前記外部入力端子に出力するチューナ本体と、
前記アナログテレビに取り付け可能であり、前記アナログテレビ用のリモコンから前記テレビ側リモコン受信部に送信されるリモコン信号を遮るように構成された遮断ユニットと、を備え、
前記遮断ユニットは、前記アナログテレビ用のリモコンからのリモコン信号を受信して該リモコン信号に対応する受信リモコン信号を前記チューナ本体に出力するユニット側リモコン受信部を含み、
前記チューナ本体は、前記ユニット側リモコン受信部からの受信リモコン信号に応じて、前記デジタル放送波に対する選局を行うことを特徴とするデジタル放送受信装置。
【請求項２】
前記チューナ本体は、前記ユニット側リモコン受信部からの受信リモコン信号に応じて、前記アナログテレビに対して選局以外の所定の操作を行うための制御信号を出力し、
前記遮断ユニットは、前記チューナ本体からの制御信号が入力され、該制御信号に対応するリモコン信号を前記テレビ側リモコン受信部に送信するユニット側リモコン送信部をさらに含むことを特徴とする請求項１に記載のデジタル放送受信装置。
【請求項３】
前記所定の操作は、前記アナログテレビの電源オン又はオフ、外部入力切り替え、音量制御の何れかであることを特徴とする請求項２に記載のデジタル放送受信装置。
【請求項４】
前記チューナ本体は、前記デジタル放送波を前記アナログ映像・音声信号に変換して出力する受信処理部を含み、
前記チューナ本体は、前記アナログテレビの電源オン又はオフを行うための制御信号を出力することに連動して、前記受信処理部の電源オン又はオフを行うことを特徴とする請求項３に記載のデジタル放送受信装置。
【請求項５】
前記チューナ本体は、前記アナログテレビの電源オンを行うための制御信号を出力したことに連動して、前記アナログテレビの外部入力切り替えを行うための制御信号を出力することを特徴とする請求項３に記載のデジタル放送受信装置。
【請求項６】
前記チューナ本体は、リモコン信号のコードと該コードに対応する操作とを関連付けたテーブルをテレビメーカー毎に記憶した記憶部を含み、
前記チューナ本体は、前記ユニット側リモコン受信部からの受信リモコン信号が入力されると、該受信リモコン信号に対応する操作を、前記アナログテレビのメーカーに対応するテーブルを用いて判別することを特徴とする請求項１〜５の何れか一項に記載のデジタル放送受信装置。
【請求項７】
前記チューナ本体は、前記アナログテレビのメーカーを特定するためのモードへ移行するためのスイッチ部をさらに含み、
前記チューナ本体は、該モードに移行すると、前記ユニット側リモコン受信部からの受信リモコン信号と、前記記憶部に記憶されているテーブルとに基づいて、前記アナログテレビのメーカーを特定することを特徴とする請求項６に記載のデジタル放送受信装置。
【発明の詳細な説明】
【技術分野】
【０００１】
本発明は、デジタル放送波を受信するデジタル放送受信装置に関する。
【背景技術】
【０００２】
世界的にテレビ放送がアナログからデジタルに移行しつつある。従来のアナログテレビを利用してデジタル放送を視聴するには、別途デジタル放送受信装置を入手して、アナログテレビに接続する必要がある。
【０００３】
この場合、アナログテレビはアナログテレビ用のリモコンで操作し、デジタル放送受信装置はデジタル放送受信装置用のリモコンで操作する必要があり、二つのリモコンを使い分ける必要があり煩わしい。
【０００４】
デジタル放送受信装置のリモコンにアナログテレビの操作機能を付加する技術も存在するが、該技術では、使い慣れたアナログテレビ用リモコンのみを使い続けてデジタル放送も視聴したいというユーザの要望に応えることができない。
【０００５】
このような要望に応えるために、アナログテレビ用のリモコンから送出されるリモコン信号に基づいて選局（tuning）を行い、アンテナからのデジタル放送波を、アナログテレビで受信できるアナログ放送波に変換してアナログテレビのアンテナ入力端子に出力するデジタル放送受信装置が提案されている（特許文献１参照）。
【０００６】
特許文献１に記載の技術では、アナログテレビは、デジタル放送受信装置と共にリモコン信号を受信し、該リモコン信号に基づいて、アンテナ入力端子に入力されるアナログ放送波に対する選局を行って、映像及び音声を出力する。
【先行技術文献】
【特許文献】
【０００７】
【特許文献１】特開２００８−５４１５３号公報
【発明の概要】
【発明が解決しようとする課題】
【０００８】
しかしながら、特許文献１に記載の技術では、デジタル放送受信装置及びアナログテレビの何れか一方がリモコン信号を同時に受信できない場合、デジタル放送受信装置及びアナログテレビのそれぞれの選局状態に不一致が生じる。すなわち、デジタル放送受信装置が出力するアナログ放送波のチャンネル（周波数）と、アナログテレビが受信しようとするチャンネル（周波数）とに不一致が生じる。その結果、ユーザは所望のデジタル放送を試聴できない。
【０００９】
このように、特許文献１に記載の技術は、アナログテレビ用のリモコンからのリモコン信号を、デジタル放送受信装置及びアナログテレビが共に受信する必要があるが、設置環境及び使用環境によっては、これら両装置が該リモコン信号を受信することは難しい。従って、特許文献１に記載のデジタル放送受信装置は、デジタル放送受信装置及びアナログテレビの設置環境及び使用環境が制限され、ユーザの利便性が低いという問題があった。
【００１０】
そこで、本発明は、アナログテレビ用リモコンを用いて所望のデジタル放送を視聴可能としつつ、ユーザの利便性を高めることができるデジタル放送受信装置を提供することを目的とする。
【課題を解決するための手段】
【００１１】
上述した課題を解決するために、本発明は以下のような特徴を有している。まず、本発明に係るデジタル放送受信装置の特徴は、外部入力端子（映像信号入力端子３０ｂ、音声信号入力端子３０ｃ）とテレビ側リモコン受信部（テレビ側リモコン受信部３０１）とを有するアナログテレビ（アナログテレビ３０）と共に使用されるデジタル放送受信装置（デジタル放送受信装置２０）であって、アンテナ（アンテナ１０）からのデジタル放送波が入力され、該デジタル放送波をアナログ映像・音声信号に変換して該アナログ映像・音声信号を前記外部入力端子に出力するチューナ本体（チューナ本体２００）と、前記アナログテレビに取り付け可能であり、前記アナログテレビ用のリモコン（アナログテレビ用リモコン４０）から前記テレビ側リモコン受信部に送信されるリモコン信号を遮るように構成された遮断ユニット（遮断ユニット２５０）と、を備え、前記遮断ユニットは、前記アナログテレビ用のリモコンからのリモコン信号を受信して該リモコン信号に対応する受信リモコン信号を前記チューナ本体に出力するユニット側リモコン受信部（ユニット側リモコン受信部２５１）を含み、前記チューナ本体は、前記ユニット側リモコン受信部からの受信リモコン信号に応じて、前記デジタル放送波に対する選局を行うことを要旨とする。
【００１２】
このような特徴によれば、テレビ側リモコン受信部に入力されるリモコン信号を遮断ユニットが遮る一方、該リモコン信号をユニット側リモコン受信部が受信し、チューナ本体は、ユニット側リモコン受信部からの受信リモコン信号に応じてデジタル放送波に対する選局を行う。そして、チューナ本体は、デジタル放送波をアナログ映像・音声信号に変換してアナログテレビの外部入力端子に出力する。このように、上記特徴に係るデジタル放送受信装置によれば、ユニット側リモコン受信部がリモコン信号を受信できれば、ユーザは所望のデジタル放送を試聴可能であり、ユーザの利便性を高めることができる。
【００１３】
また、ユニット側リモコン受信部はアナログテレビに取り付け可能であるため、ユーザはアナログテレビに向けてリモコン操作を行うことができるため、従来と同様の操作感を実現でき、ユーザの利便性をさらに高めることができる。
【００１４】
以上より、上記特徴に係るデジタル放送受信装置は、アナログテレビ用リモコンを用いて所望のデジタル放送を視聴可能としつつ、ユーザの利便性を高めることができる。
【００１５】
本発明に係るデジタル放送受信装置の他の特徴は、上記特徴に係るデジタル放送受信装置において、前記チューナ本体は、前記ユニット側リモコン受信部からの受信リモコン信号に応じて、前記アナログテレビに対して選局以外の所定の操作を行うための制御信号を出力し、前記遮断ユニットは、前記チューナ本体からの制御信号が入力され、該制御信号に対応するリモコン信号を前記テレビ側リモコン受信部に送信するユニット側リモコン送信部（ユニット側リモコン送信部２５２）をさらに含むことを要旨とする。
【００１６】
このような特徴によれば、アナログテレビに対する選局以外の所定の操作、すなわち、外部入力端子を用いて実現できないような操作については、ユニット側リモコン送信部からテレビ側リモコン受信部にリモコン信号を送信することによって実現可能としている。
【００１７】
本発明に係るデジタル放送受信装置の他の特徴は、上記特徴に係るデジタル放送受信装置において、前記所定の操作は、前記アナログテレビの電源オン又はオフ、外部入力切り替え、音量制御の何れかであることを要旨とする。
【００１８】
このような特徴によれば、アナログテレビの電源オン又はオフ、外部入力切り替え、音量制御を、ユニット側リモコン送信部からテレビ側リモコン受信部にリモコン信号を送信することによって実現できる。
【００１９】
本発明に係るデジタル放送受信装置の他の特徴は、上記特徴に係るデジタル放送受信装置において、前記チューナ本体は、前記デジタル放送波を前記アナログ映像・音声信号に変換して出力する受信処理部（受信処理部２０１）を含み、前記チューナ本体は、前記アナログテレビの電源オン又はオフを行うための制御信号を出力することに連動して、前記受信処理部の電源オン又はオフを行うことを要旨とする。
【００２０】
このような特徴によれば、アナログテレビの電源オン又はオフと連動させてチューナ本体（具体的には、受信処理部）の電源オン又はオフを行う。従って、省電力に寄与できるとともに、アナログテレビ用リモコンを用いてチューナ本体の電源オン又はオフを行うことができ、ユーザの利便性を高めることができる。
【００２１】
本発明に係るデジタル放送受信装置の他の特徴は、上記特徴に係るデジタル放送受信装置において、前記チューナ本体は、前記アナログテレビの電源オンを行うための制御信号を出力したことに連動して、前記アナログテレビの外部入力切り替えを行うための制御信号を出力することを要旨とする。
【００２２】
このような特徴によれば、ユーザが外部入力切り替え操作を行う手間を省略することができ、且つ、従来と同様の操作感を実現できるため、ユーザの利便性をさらに高めることができる。
【００２３】
本発明に係るデジタル放送受信装置の他の特徴は、上記特徴に係るデジタル放送受信装置において、前記チューナ本体は、リモコン信号のコードと該コードに対応する操作とを関連付けたテーブルをテレビメーカー毎に記憶した記憶部（記憶部２０２）を含み、前記チューナ本体は、前記ユニット側リモコン受信部からの受信リモコン信号が入力されると、該受信リモコン信号に対応する操作を、前記アナログテレビのメーカーに対応するテーブルを用いて判別することを要旨とする。
【００２４】
このような特徴によれば、チューナ本体は、受信リモコン信号に対応する操作を、アナログテレビのメーカーに対応するテーブルを用いて判別する。リモコン信号のコード体系はメーカー毎に定められることが一般的であるため、メーカー毎のテーブルを用意しておくことによって、様々な種類のアナログテレビに対応可能なデジタル放送受信装置を提供できる。
【００２５】
本発明に係るデジタル放送受信装置の他の特徴は、上記特徴に係るデジタル放送受信装置において、前記チューナ本体は、前記アナログテレビのメーカーを特定するためのモードへ移行するためのスイッチ部（スイッチ部２０４）をさらに含み、前記チューナ本体は、該モードに移行すると、前記ユニット側リモコン受信部からの受信リモコン信号と、前記記憶部に記憶されているテーブルとに基づいて、前記アナログテレビのメーカーを特定することを要旨とする。
【００２６】
このような特徴によれば、アナログテレビのメーカーを自動的に特定することができ、適切なテーブルを使用可能になるため、ユーザの利便性を高めることができる。
【発明の効果】
【００２７】
本発明によれば、アナログテレビ用リモコンを用いて所望のデジタル放送を視聴可能としつつ、ユーザの利便性を高めることができるデジタル放送受信装置を提供できる。
【図面の簡単な説明】
【００２８】
【図１】本発明の実施形態に係るデジタル放送視聴システムの全体概略構成を示す図である。
【図２】本発明の実施形態に係るデジタル放送視聴システムの機能ブロック構成を示す図である。
【図３】本発明の実施形態に係る遮断ユニットの構造を説明するための図であって、図３（ａ）は遮断ユニットの表側の斜視図であり、図３（ｂ）は遮断ユニットの裏側の斜視図であり、図３（ｃ）は遮断ユニットとアナログテレビ３０との取り付け部分の斜視図である。
【図４】本発明の実施形態に係るチューナ本体の初期設定動作を示すフローチャートである。
【図５】本発明の実施形態に係るチューナ本体の通常動作を示すフローチャートである。
【発明を実施するための形態】
【００２９】
図面を参照して、本発明の実施形態について、（１）全体概略構成、（２）機能ブロック構成、（３）遮断ユニットの構造、（４）チューナ本体の動作、（５）実施形態の効果、（６）その他の実施形態の順に説明する。以下の実施形態における図面において、同一又は類似の部分には同一又は類似の符号を付す。
【００３０】
（１）全体概略構成
図１は、本実施形態に係るデジタル放送視聴システムの全体概略構成を示す図である。
【００３１】
図１に示すように、本実施形態に係るデジタル放送視聴システムは、アンテナ１０、チューナ本体２００、遮断ユニット２５０、アナログテレビ３０、及びアナログテレビ用リモコン４０を備える。チューナ本体２００及び遮断ユニット２５０は、デジタル放送受信装置２０を構成する。
【００３２】
アンテナ１０は、デジタル放送波の受信に用いられる。チューナ本体２００は、個別のケーブルを介して、アンテナ１０、遮断ユニット２５０、及びアナログテレビ３０に接続される。チューナ本体２００は、アンテナ１０からのデジタル放送波が入力され、デジタル放送波をアナログ映像・音声信号に変換し、アナログ映像信号及びアナログ音声信号をアナログテレビ３０に出力する。また、チューナ本体２００は、遮断ユニット２５０からの受信リモコン信号が入力され、制御信号を遮断ユニット２５０に出力する。
【００３３】
遮断ユニット２５０は、アナログテレビ３０に取り付けられており、ケーブルを介してチューナ本体２００に接続される。遮断ユニット２５０は、チューナ本体２００からの制御信号が入力され、受信リモコン信号をチューナ本体２００に出力する。遮断ユニット２５０は、アナログテレビ用リモコン４０からテレビ側リモコン受信部３０１（図２参照）に送信されるリモコン信号を遮るように構成される。
【００３４】
アナログテレビ３０は、アナログ放送波を受信可能であって、デジタル放送波を受信不能なテレビである。また、アナログテレビ３０は、外部入力端子としての映像信号入力端子３０ｂ及び音声信号入力端子３０ｃ（図２参照）を含む。アナログテレビ３０の映像信号入力端子３０ｂ及び音声信号入力端子３０ｃは、ケーブルを介してチューナ本体２００に接続される。
【００３５】
アナログテレビ用リモコン４０は、例えばアナログテレビ３０の付属品として提供されるものである。本実施形態では、アナログテレビ用リモコン４０は、リモコン信号を赤外線により送信するように構成される。アナログテレビ用リモコン４０は、選局ボタン、電源オン／オフボタン、音量アップ／ダウンボタン、ミュートボタン、外部入力切り替えボタン等の各種ボタンを含む。
【００３６】
このように、本実施形態に係るデジタル放送受信装置２０は、アンテナ１０からのデジタル放送波が入力され、該デジタル放送波をアナログ映像・音声信号に変換して該アナログ映像・音声信号を映像信号入力端子３０ｂ及び音声信号入力端子３０ｃに出力するチューナ本体２００と、アナログテレビ３０に取り付け可能であり、アナログテレビ用リモコン４０からテレビ側リモコン受信部３０１に送信されるリモコン信号を遮るように構成された遮断ユニット２５０と、を備える。遮断ユニット２５０は、アナログテレビ用リモコン４０からのリモコン信号を受信して該リモコン信号に対応する受信リモコン信号をチューナ本体２００に出力するユニット側リモコン受信部２５１を含む。チューナ本体２００は、ユニット側リモコン受信部２５１からの受信リモコン信号に応じて、デジタル放送波に対する選局を行う。
【００３７】
（２）機能ブロック構成
次に、図２を参照しながら、本実施形態に係る機能ブロック構成について、（２．１）遮断ユニットの構成、（２．２）チューナ本体の構成、（２．３）アナログテレビの構成の順に説明する。図２は、本実施形態に係るデジタル放送視聴システムの機能ブロック構成を示す図である。
【００３８】
（２．１）遮断ユニットの構成
図２に示すように、遮断ユニット２５０は、受信リモコン信号出力端子２５０ａ、制御信号入力端子２５０ｂ、ユニット側リモコン受信部２５１、及びユニット側リモコン送信部２５２を含む。
【００３９】
受信リモコン信号出力端子２５０ａは、受信リモコン信号をチューナ本体２００に出力するための端子であり、制御信号入力端子２５０ｂは、チューナ本体２００からの制御信号が入力される端子である。
【００４０】
ユニット側リモコン受信部２５１は、例えば受光素子を用いて構成されており、アナログテレビ用リモコン４０から赤外線により送信されるリモコン信号１を、電気信号としての受信リモコン信号に変換して出力する。
【００４１】
ユニット側リモコン送信部２５２は、例えば発光素子を用いて構成されており、電気信号としての制御信号を、赤外線により送信されるリモコン信号２に変換して出力する。アナログテレビ用リモコン４０から赤外線により送信されるリモコン信号２は、アナログテレビ３０のテレビ側リモコン受信部３０１によって受信される。
【００４２】
（２．２）チューナ本体の構成
図２に示すように、チューナ本体２００は、アンテナ入力端子２００ａ、映像信号出力端子２００ｂ、音声信号出力端子２００ｃ、受信リモコン信号入力端子２００ｄ、制御信号出力端子２００ｅ、受信処理部２０１、記憶部２０２、制御部２０３、及びスイッチ部２０４を含む。受信処理部２０１、記憶部２０２、及びスイッチ部２０４は、制御部２０３に接続される。
【００４３】
アンテナ入力端子２００ａは、アンテナ１０からのデジタル放送波が入力される端子である。
【００４４】
映像信号出力端子２００ｂは、アナログ映像信号をアナログテレビ３０に出力するための端子であり、音声信号出力端子２００ｃは、アナログ音声信号をアナログテレビ３０に出力するための端子である。
【００４５】
受信リモコン信号入力端子２００ｄは、遮断ユニット２５０からの受信リモコン信号が入力される端子であり、制御信号出力端子２００ｅは、制御信号を遮断ユニット２５０に出力するための端子である。
【００４６】
受信処理部２０１は、例えば無線周波数（ＲＦ）回路やベースバンド（ＢＢ）回路を用いて構成される。受信処理部２０１は、アンテナ入力端子２００ａを介して入力されるデジタル放送波の増幅及びダウンコンバートを行った後、復調、復号、及びアナログ変換を行って、アナログ映像信号及びアナログ音声信号を映像信号出力端子２００ｂ及び音声信号出力端子２００ｃにそれぞれ出力する。
【００４７】
記憶部２０２は、例えばメモリを用いて構成され、制御部２０３での制御に用いられる各種の情報を記憶する。記憶部２０２は、リモコン信号のコードと該コードに対応する操作とを関連付けたテーブルをテレビメーカー毎に記憶している。これらのテーブルは、チューナ本体２００が出荷される時点で予め記憶部２０２に記憶されているものとする。このように、リモコン信号のコード体系はメーカー毎に定められることが一般的であるため、メーカー毎のテーブルを用意しておく。
【００４８】
制御部２０３は、記憶部２０２に記憶されているプログラムを実行することによって、後述する各種の制御を行う。制御部２０３は、受信リモコン信号入力端子２００ｄを介して受信リモコン信号が入力され、制御信号出力端子２００ｅを介して制御信号を出力する。具体的には、制御部２０３は、受信リモコン信号に応じて、アナログテレビ３０に対して選局以外の所定の操作を行うための制御信号を出力する。ここで、所定の操作とは、アナログテレビ３０の電源オン又はオフ、外部入力切り替え、音量制御の何れかである。
【００４９】
ここで、制御部２０３は、受信リモコン信号が入力されると、記憶部２０２を参照し、該受信リモコン信号に対応する操作を、アナログテレビ３０のメーカーに対応するテーブルを用いて判別する。
【００５０】
また、制御部２０３は、アナログテレビ３０の電源オン又はオフを行うための制御信号を出力することに連動して、受信処理部２０１の電源オン又はオフを行う。具体的には、制御部２０３は、アナログテレビ３０の電源オンを行うための制御信号を出力する際に受信処理部２０１の電源オンを行い、アナログテレビ３０の電源オフを行うための制御信号を出力する際に受信処理部２０１の電源オフを行う。ここで、受信処理部２０１の電源オフとは、受信処理部２０１全体に対する給電を停止することであってもよく、受信処理部２０１の一部に対する給電を停止することであってもよい。
【００５１】
スイッチ部２０４は、ユーザによって押下される機械式スイッチであり、押下されたことに応じて電気信号を制御部２０３に出力する。スイッチ部２０４は、アナログテレビ３０のメーカーを特定するためのメーカー特定モードへ移行するために用いられる。
【００５２】
制御部２０３は、スイッチ部２０４からの電気信号に応じてメーカー特定モードに移行すると、ユニット側リモコン受信部２５１からの受信リモコン信号と、記憶部２０２に記憶されているメーカー毎のテーブルとに基づいて、アナログテレビ３０のメーカーを特定する。
【００５３】
（２．３）アナログテレビの構成
図２に示すように、アナログテレビ３０は、アンテナ入力端子３０ａ、映像信号入力端子３０ｂ、音声信号入力端子３０ｃ、テレビ側リモコン受信部３０１、受信処理部３０２、スピーカ３０３、モニタ３０４、及び制御部３０５を含む。
【００５４】
アンテナ入力端子３０ａは、アナログ放送波を入力するための端子である。本実施形態では、外部入力端子（映像信号入力端子３０ｂ及び音声信号入力端子３０ｃ）を用いてデジタル放送を視聴する形態であるため、アンテナ入力端子３０ａは使用されていない。
【００５５】
映像信号入力端子３０ｂは、チューナ本体２００からのアナログ映像信号が入力される端子であり、音声信号入力端子３０ｃは、チューナ本体２００からのアナログ音声信号が入力される端子である。
【００５６】
テレビ側リモコン受信部３０１は、例えば受光素子を用いて構成される。本実施形態では、テレビ側リモコン受信部３０１は、遮断ユニット２５０のユニット側リモコン送信部２５２からのリモコン信号２を受信する。
【００５７】
受信処理部３０２は、例えば無線周波数（ＲＦ）回路やベースバンド（ＢＢ）回路を用いて構成される。本実施形態では、外部入力端子（映像信号入力端子３０ｂ及び音声信号入力端子３０ｃ）を用いてデジタル放送を視聴する形態であるため、受信処理部３０２は使用されていない。
【００５８】
スピーカ３０３は、アナログ音声信号を音声に変換して出力するものであり、モニタ３０４は、アナログ映像信号を映像に変換して表示するものである。
【００５９】
制御部３０５は、受信処理部３０２からの受信リモコン信号に応じて、受信処理部３０２、スピーカ３０３、及びモニタ３０４を制御する。具体的には、制御部３０５は、電源オン又はオフを示す受信リモコン信号が入力されると、スピーカ３０３やモニタ３０４、受信処理部３０２等に対する給電を停止するよう制御する。また、制御部３０５は、外部入力切り替えを示す受信リモコン信号が入力されると、受信処理部３０２の出力信号をスピーカ３０３やモニタ３０４に入力するか、外部入力端子（映像信号入力端子３０ｂ及び音声信号入力端子３０ｃ）に入力される信号をスピーカ３０３やモニタ３０４に入力するかを切り替える。制御部３０５は、音量制御を示す受信リモコン信号が入力されると、音量アップ／ダウン／ミュートを行うようにスピーカ３０３を制御する。
【００６０】
（３）遮断ユニットの構造
次に、図３を参照しながら、本実施形態に係る遮断ユニット２５０の構造について説明する。図３は、遮断ユニット２５０の構造を説明するための図である。図３（ａ）は遮断ユニット２５０の表側の斜視図であり、図３（ｂ）は遮断ユニット２５０の裏側の斜視図であり、図３（ｃ）は遮断ユニット２５０とアナログテレビ３０との取り付け部分の斜視図である。
【００６１】
図３（ａ）、図３（ｂ）、及び図３（ｃ）に示すように、遮断ユニット２５０は、ユニット側リモコン受信部２５１、ユニット側リモコン送信部２５２、及び遮断部材２５３を含む。ユニット側リモコン受信部２５１は、ドーム状に形成された遮断部材２５３の表面に設けられ、ユニット側リモコン送信部２５２は、該遮断部材２５３の裏面に設けられる。
【００６２】
遮断部材２５３は、光を透過しない材料によって構成されており、例えば樹脂を用いて構成される。遮断部材２５３の外周部分は、接着部材によって、アナログテレビ３０のテレビ側リモコン受信部３０１の周囲に接着される。具体的には、遮断部材２５３の裏面に設けられたユニット側リモコン送信部２５２が、アナログテレビ３０のテレビ側リモコン受信部３０１に対向するように、遮断部材２５３がアナログテレビ３０に取り付けられる。
【００６３】
（４）チューナ本体の動作
次に、チューナ本体２００の動作について、（４．１）初期設定動作、（４．２）通常動作の順に説明する。初期設定動作は例えばデジタル放送受信装置２０の使用を開始する際に行われる動作である。通常動作は、初期設定動作後の実際の使用時の動作である。
【００６４】
（４．１）初期設定動作
図４は、チューナ本体２００の初期設定動作を示すフローチャートである。
【００６５】
図４に示すように、スイッチ部２０４の押下を制御部２０３が検知することによって、初期設定動作（すなわちメーカー特定モード）が開始される。該モードが開始されると、ユーザは、アナログテレビ用リモコン４０に対し、予め定められた操作（例えば、特定のチャンネルを選局する操作）を行う。
【００６６】
ステップＳ１０１において、ユニット側リモコン受信部２５１は、アナログテレビ用リモコン４０からのリモコン信号１を受信し、受信リモコン信号を出力する。該受信リモコン信号は、制御部２０３に伝達される。
【００６７】
ステップＳ１０２において、制御部２０３は、ユニット側リモコン受信部２５１からの受信リモコン信号と、記憶部２０２に記憶されているメーカー毎のテーブルとに基づいて、アナログテレビ３０のメーカーを特定する。具体的には、制御部２０３は、ユニット側リモコン受信部２５１からの受信リモコン信号のコードと一致するコードであって、上記予め定められた操作に対応するコードを有するテーブルを記憶部２０２から検索する。ここで検索されたテーブルに対応付けられたメーカーが、アナログテレビ３０のメーカーということになる。
【００６８】
ステップＳ１０３において、制御部２０３は、ステップＳ１０２で検索されたテーブルを、通常動作において使用するテーブルとして設定する。テーブルの設定が完了すると、初期設定動作が完了する。
【００６９】
（４．２）通常動作
図５は、チューナ本体２００の通常動作を示すフローチャートである。通常動作では、制御部２０３は、ユニット側リモコン受信部２５１からの受信リモコン信号が入力されると、記憶部２０２を参照し、該受信リモコン信号に対応する操作を、初期設定動作で設定されたテーブルを用いて判別する。
【００７０】
図５に示すように、ステップＳ２０１において、制御部２０３は、上記テーブルを参照し、入力された受信リモコン信号のコード種別を判別する。具体的には、制御部２０３は、入力された受信リモコン信号のコード種別が、電源オン／オフ操作、選局操作、音量制御操作、外部入力切り替え操作の何れであるかを判別する。
【００７１】
入力された受信リモコン信号のコード種別が電源オン／オフ操作である場合、ステップＳ２０２において制御部２０３は、上記テーブルを参照し、電源オン／オフ用の制御信号をユニット側リモコン送信部２５２に出力する。ユニット側リモコン送信部２５２は、電源オン／オフ用のリモコン信号２を送信する。また、ステップＳ２０３において制御部２０３は、受信処理部２０１の電源オン／オフを行う。
【００７２】
入力された受信リモコン信号のコード種別が選局操作である場合、ステップＳ２０４において制御部２０３は、上記テーブルを参照し、選局を行うように受信処理部２０１を制御する。具体的には、制御部２０３は、現在視聴中のチャンネルと異なるチャンネルの選局がなされた場合には、該異なるチャンネルに切り替えるよう受信処理部２０１を制御する。
【００７３】
入力された受信リモコン信号のコード種別が音量制御である場合、ステップＳ２０５において制御部２０３は、上記テーブルを参照し、音量制御用の制御信号をユニット側リモコン送信部２５２に出力する。ユニット側リモコン送信部２５２は、音量制御用のリモコン信号２を送信する。
【００７４】
入力された受信リモコン信号のコード種別が外部入力切り替えである場合、ステップＳ２０６において制御部２０３は、上記テーブルを参照し、外部入力切り替え用の制御信号をユニット側リモコン送信部２５２に出力する。ユニット側リモコン送信部２５２は、外部入力切り替え用のリモコン信号２を送信する。
【００７５】
（５）実施形態の効果
以上説明したように、本実施形態によれば、テレビ側リモコン受信部３０１に入力されるリモコン信号を遮断ユニット２５０が遮る一方、該リモコン信号をユニット側リモコン受信部２５１が受信し、チューナ本体２００は、ユニット側リモコン受信部２５１からの受信リモコン信号に応じてデジタル放送波に対する選局を行う。そして、チューナ本体２００は、デジタル放送波をアナログ映像・音声信号に変換してアナログテレビ３０の映像信号入力端子３０ｂ及び音声信号入力端子３０ｃに出力する。このように、上記特徴に係るデジタル放送受信装置２０によれば、ユニット側リモコン受信部２５１がリモコン信号を受信できれば、ユーザは所望のデジタル放送を試聴可能であり、ユーザの利便性を高めることができる。
【００７６】
また、ユニット側リモコン受信部２５１はアナログテレビ３０に取り付け可能であるため、ユーザはアナログテレビ３０に向けてリモコン操作を行うことができるため、従来と同様の操作感を実現でき、ユーザの利便性をさらに高めることができる。
【００７７】
以上より、上記特徴に係るデジタル放送受信装置２０は、アナログテレビ３０用リモコンを用いて所望のデジタル放送を視聴可能としつつ、ユーザの利便性を高めることができる。
【００７８】
さらに、本実施形態によれば、アナログテレビ３０に対する選局以外の所定の操作、すなわち、映像信号入力端子３０ｂ及び音声信号入力端子３０ｃを用いて実現できないような操作については、ユニット側リモコン送信部２５２からテレビ側リモコン受信部３０１にリモコン信号を送信することによって実現することができる。具体的には、アナログテレビ３０の電源オン又はオフ、外部入力切り替え、音量制御を実現できる。
【００７９】
本実施形態によれば、アナログテレビ３０の電源オン又はオフと連動させてチューナ本体２００（具体的には、受信処理部２０１）の電源オン又はオフを行う。従って、省電力に寄与できるとともに、アナログテレビ３０用リモコンを用いてチューナ本体２００の電源オン又はオフを行うことができ、ユーザの利便性を高めることができる。
【００８０】
本実施形態によれば、チューナ本体２００は、受信リモコン信号に対応する操作を、アナログテレビ３０のメーカーに対応するテーブルを用いて判別する。リモコン信号のコード体系はメーカー毎に定められることが一般的であるため、メーカー毎のテーブルを用意しておくことによって、様々な種類のアナログテレビ３０に対応可能なデジタル放送受信装置２０を提供できる。
【００８１】
本実施形態によれば、アナログテレビ３０のメーカーを自動的に特定することができ、適切なテーブルを使用可能になるため、ユーザの利便性を高めることができる。
【００８２】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８３】
上述した実施形態では、アナログテレビ用リモコン４０は、リモコン信号を赤外線により送信していたが、リモコン信号を電波により送信するタイプであってもよい。この場合、遮断ユニット２５０の遮断部材２５３は、電波吸収性の部材によって構成される。
【００８４】
上述した実施形態では、チューナ本体２００の制御部２０３は、入力された受信リモコン信号のコード種別が電源オン／オフ操作である場合、電源オン／オフ用の制御信号をユニット側リモコン送信部２５２に出力し、ユニット側リモコン送信部２５２は、電源オン／オフ用のリモコン信号２を送信していた。このような方法に加えて、次のような制御を行ってもよい。具体的には、アナログテレビ３０は、電源オン時にはアンテナ入力状態であるが、本実施形態の方法を利用するには外部入力状態に切り替える必要がある。そこで、チューナ本体２００の制御部２０３は、入力された受信リモコン信号のコード種別が電源オン／オフ操作である場合、電源オン／オフ用の制御信号をユニット側リモコン送信部２５２に出力すると、外部入力切り替え用の制御信号をユニット側リモコン送信部２５２に出力する。その結果、ユニット側リモコン送信部２５２は、電源オン／オフ用のリモコン信号２の送信に続けて、外部入力切り替え用のリモコン信号２を送信する。このような制御を行うことにより、ユーザが外部入力切り替え操作を行う手間を省略することができ、且つ、従来と同様の操作感を実現できるため、ユーザの利便性をさらに高めることができる。
【００８５】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８６】
１０…アンテナ、２０…デジタル放送受信装置、３０…アナログテレビ、３０ａ…アンテナ入力端子、３０ｂ…映像信号入力端子、３０ｃ…音声信号入力端子、４０…アナログテレビ用リモコン、２００…チューナ本体、２００ａ…アンテナ入力端子、２００ｂ…映像信号出力端子、２００ｃ…音声信号出力端子、２００ｄ…受信リモコン信号入力端子、２００ｅ…制御信号出力端子、２０１…受信処理部、２０２…記憶部、２０３…制御部、２０４…スイッチ部、２５０…遮断ユニット、２５０ａ…受信リモコン信号出力端子、２５０ｂ…制御信号入力端子、２５１…ユニット側リモコン受信部、２５２…ユニット側リモコン送信部、２５３…遮断部材、３０１…テレビ側リモコン受信部、３０２…受信処理部、３０３…スピーカ、３０４…モニタ、３０５…制御部
【図１】
2012109793.tif 000003
【図２】
2012109793.tif 000004
【図３】
2012109793.tif 000005
【図４】
2012109793.tif 000006
【図５】
2012109793.tif 000007